(57)【要約】ディジタルアナログコンバータ（ＤＡＣ）及び電流補償回路（ＣＭＰ）のような、ディジタル信号（ＤＳ）を処理するためのデータ処理回路を有する電子回路である。ディジタルアナログコンバータ（ＤＡＣ）と電流補償回路（ＣＭＰ）との両方は一つの電源（Ｕ１）によって給電される。ディジタルアナログコンバータ（ＤＡＣ）によって電源（Ｕ１）から供給される電流は通常ディジタル入力信号（ＤＳ）に依存している。電源（Ｕ１）と直列に常に存在する損失抵抗（Ｒ１１、Ｒ１２）がデータ依存性のある電源電圧（Ｕ２）をディジタルアナログコンバータ（ＤＡＣ）にそのとき供給するため、これにより歪がもたらされるであろう。この問題は、ディジタル信号（ＤＳ）を受信するために結合される電流補償回路（ＣＭＰ）の追加により解消される。電流補償回路（ＣＭＰ）は、ディジタルアナログコンバータ（ＤＡＣ）に流されるデータ依存性のある電流と、電流補償回路（ＣＭＰ）に流されるデータ依存性のある電流との和がデータから実質的に独立する態様で構成される。
2004510381.tif 000002
【特許請求の範囲】
【請求項１】
ディジタル信号を処理するためのデータ処理回路を有する電子回路であって、前記データ処理回路が電源電圧を給電するために第一の電源接続端子と第二の電源接続端子との間に結合される電子回路において、前記電源電圧を給電するために前記第一の電源接続端子と前記第二の電源接続端子との間に結合される電流補償回路を有し、前記電流補償回路は動作状態において前記データ処理回路の消費電流と前記電流補償回路の消費電流との和が前記ディジタル信号のデータコンテンツから実質的に独立するように前記ディジタル信号により制御されることを特徴とする電子回路。
【請求項２】
前記データ処理回路が前記ディジタル信号をアナログ信号に変換するためのＤＡコンバータであることを特徴とする請求項１に記載の電子回路。
【請求項３】
前記電流補償回路が前記第一の電源接続端子と前記第二の電源接続端子との間に結合される補償電流源を有し、前記動作状態においていくつかの前記補償電流源がスイッチオンされ、前記スイッチオンされる前記補償電流源の数が前記ディジタル信号の前記データコンテンツに依存することを特徴とする請求項２に記載の電子回路。
【請求項４】
前記電流補償回路が補償抵抗を有し、いくつかの前記補償抵抗が前記動作状態において前記第一の電源接続端子と前記第二の電源接続端子との間に結合され、前記結合される前記補償抵抗の数が前記ディジタル信号の前記データコンテンツに依存することを特徴とする請求項２に記載の電子回路。
【請求項５】
前記電流補償回路が前記第一の電源接続端子と前記第二の電源接続端子との間に結合される補償電流源を有し、前記動作状態において前記補償電流源のうちの一つがスイッチオンされ、前記スイッチオンされた電流源によって供給される電流値が前記ディジタル信号の前記データコンテンツに依存することを特徴とする請求項２に記載の電子回路。
【請求項６】
前記電流補償回路が補償抵抗を有し、前記動作状態において前記補償抵抗のうちの一つが前記第一の電源接続端子と前記第二の電源接続端子との間に結合され、前記一つの補償抵抗の値が前記ディジタル信号の前記データコンテンツに依存することを特徴とする請求項２に記載の電子回路。
【請求項７】
前記ＤＡコンバータが変換抵抗を有し、いくつかの前記変換抵抗が前記動作状態において前記第一の電源接続端子と前記ＤＡコンバータの出力端子との間に結合され、一方残りの数の前記変換抵抗が前記第二の電源接続端子と前記出力端子との間に結合され、前記結合される前記変換抵抗の数が前記ディジタル信号の前記データコンテンツに依存することを特徴とする請求項２、３、４、５、又は６に記載の電子回路。
【発明の詳細な説明】
【０００１】
【発明の属する技術分野】
本発明は、ディジタル信号を処理するためのデータ処理回路を有する電子回路であって、前記データ処理回路が電源電圧を給電するために第一の電源接続端子と第二の電源接続端子との間に結合される電子回路に関する。
【０００２】
【発明が解決しようとする課題】
このような電子回路は一般的な従来技術から知られている。概して、データ処理回路によって消費される電流はディジタル信号のデータコンテンツに依存している。ある一定の配線インピダンス（オーミック抵抗及び自己インダクタンス）はデータ処理回路の給電線と直列に常に存在する。この配線インピダンスの存在、及びデータ処理回路によって消費される電流がディジタル信号のデータコンテンツに依存しているという事実のために、データ依存成分を有する電圧がデータ処理回路に供給される。いわゆる電子回路の給電阻止率は常に有限なので、給電阻止率の値に依存してデータ処理回路において信号歪が発生するであろう。更に、所望されない信号クロストークが該電子回路の他の部分に発生するかもしれない。実際には給電阻止率が最大となるようにデータ処理回路を設計することによってこの信号歪及び信号クロストークを制限する努力が払われる。存在する配線インピダンスを最小にする努力が更に払われる。しかし、これらの手段が常に十分とは限らない。更に、これらの手段により、データ処理回路の実現が非常に複雑化するという結果がもたらされるかもしれない。高い給電阻止率が必要とされているこのような実現が他の特性面にマイナスの影響を与える可能性もある。
【０００３】
従って本発明の目的は、上記不利点を有さないか又は少なくとも非常に低い程度で有するデータ処理回路を具備する電子回路を提供することにある。
【０００４】
【課題を解決するための手段】
本発明によれば、この目的に対して、冒頭の段落において言及されている電子回路は、該電子回路が前記電源電圧を給電するために第一の電源接続端子と第二の電源接続端子との間に結合される電流補償回路を有し、前記動作状態において前記電流補償回路は前記データ処理回路の前記消費電流と前記電流補償回路の前記消費電流との和が前記ディジタル信号のデータコンテンツから実質的に独立するように前記ディジタル信号により制御されることを特徴としている。
【０００５】
データ処理回路と電流補償回路との両方はデータ依存性のある消費電流を有している。電流補償回路の消費電流のデータ依存成分は、データ処理回路の消費電流のデータ依存成分と同じ大きさを持つ。しかし、前記二つの電流成分は逆相となる。データ処理回路の電源接続点と電流補償回路の電源接続点とは非常に短い配線によって相互接続されるので、該配線インピダンスを通ってデータ依存性のある電流はほとんど流れないであろう。これは、データ処理回路のデータ依存成分と電流補償回路のデータ依存成分とが相互に補償し合うためである。この結果、ディジタル信号のデータコンテンツから実質的に独立した電源電圧がデータ処理回路に供給されることになる。従って、データ処理回路の低い給電阻止率の場合でさえ信号歪及び信号クロストークは回避される。
【０００６】
ディジタル信号をアナログ信号に変換する電子データ処理回路の例としていわゆるＤＡコンバータがある。
【０００７】
本発明による、電子回路において使用するための電流補償回路の有利な実施例が請求項３から６において特定される。本発明による、電子回路において使用するためのＤＡコンバータの有利な実施例が請求項７において特定される。
【０００８】
添付図面に関連して本発明は更に詳細に説明されるであろう。
これらの図において対応する要素又は素子は同じ引用記号を与えられた。
【０００９】
【発明の実施の形態】
図１は、データ処理回路ＤＣＲを具備する、知られている電子回路を示している。データ処理回路ＤＣＲの第一の電源接続点１は前記電子回路の第一の電源接続端子ＶＳＳに接続されている。データ処理回路ＤＣＲの第二の電源接続点２は前記電子回路の第二の電源接続端子ＶＤＤに接続されている。電源電圧Ｕ１は第一の電源接続端子ＶＳＳと第二の電源接続端子ＶＤＤとの間に接続されている。電源接続点１と第一の電源接続端子ＶＳＳとの間の寄生配線インピダンス、及び電源接続点２と第二の電源接続端子ＶＤＤとの間の寄生配線インピダンスはそれぞれＺｌ１及びＺｌ２として呼ばれている。データ処理回路ＤＣＲはディジタル入力信号ＤＳを受信する。データ処理回路ＤＣＲの消費電流ＩＤＣＲは概してディジタル入力信号ＤＳに依存する成分を有している。従って、寄生配線インピダンスＺｌ１及びＺｌ２の存在により、ディジタル入力信号ＤＳに依存する成分を有する実効電源電圧Ｕ２が発生する。この場合、もしデータ処理回路ＤＣＲが十分に高くない給電阻止率を有すると、実効電源電圧Ｕ２におけるデータ依存成分及び更に前記電子回路の他の部分に対して発生し得る信号クロストークのために信号歪が発生するであろう。
【００１０】
図２は、図１に示されているデータ処理回路ＤＣＲ、それに加えて電流補償回路ＣＭＰを具備する、本発明による電子回路を示している。ディジタル信号ＤＳはデータ処理回路ＤＣＲだけでなく電流補償回路ＣＭＰにも供給される。電流補償回路ＣＭＰの給電線はそれぞれ第一の電源接続端子ＶＳＳと第二の電源接続端子ＶＤＤとに接続されていないが、第一の電源接続点１と第二の電源接続点２とに接続されている。電流補償回路ＣＭＰの消費電流はＩＣＭＰとして呼ばれている。前記電子回路の全消費電流がほとんど増加しないようにＩＣＭＰの値は好ましくはＩＤＣＲの値よりもずっと低い値となる。データ処理回路ＤＣＲの消費電流ＩＤＣＲのデータ依存成分と同じ大きさだが逆相のデータ依存成分を消費電流ＩＣＭＰが構成するように電流補償回路ＣＭＰは設計される。結果として、実効電源電圧Ｕ２は実質的に全くデータ依存成分を含まないことになる。
【００１１】
図２の電子回路はこの場合図３、４、及び５に関連して更に詳細に説明される。図５は、データ処理回路ＤＣＲの例としてＤＡコンバータＤＡＣを示している。ＤＡコンバータＤＡＣはスイッチング手段ＳＣＮＶ及び変換抵抗ＲＣＮＶ０からＲＣＮＶｎまでを有している。スイッチング手段ＳＣＮＶはディジタル信号ＤＳによって制御される、ａ０からａｎまでによって呼ばれているスイッチを有している。ＤＡコンバータＤＡＣはアナログ出力信号ＵＯＵＴを該ＤＡコンバータＤＡＣの出力端子ＯＵＴに供給する。変換抵抗は、信号ａ０からａｎまでの論理値に依存して第一の電源接続点１と出力端子ＯＵＴとの間又は第二の電源接続点２と出力端子ＯＵＴとの間の何れかに接続される。図５は、変換抵抗ＲＣＮＶ０とＲＣＮＶ１とが第二の電源接続点２と出力端子ＯＵＴとの間に接続される状態を例示している。全ての変換抵抗ＲＣＮＶ０からＲＣＮＶｎまでが第一の電源接続点１と出力端子ＯＵＴとの間又は第二の電源接続点２と出力端子ＯＵＴとの間の何れかに接続されるとＤＡコンバータＤＡＣの消費電流ＩＤＣＲは最小となる。消費電流ＩＤＣＲは全ての他の場合においてより大きくなる。同じ数の変換抵抗が第一の電源接続点１と出力端子ＯＵＴとの間及び第二の電源接続点２と出力端子ＯＵＴとの間に接続されると消費電流ＩＤＣＲは最大となる。但しこの全ては全部の変換抵抗がほとんど同じ値を持つという仮定に基づいている。従って消費電流ＩＤＣＲはディジタル信号ＤＳの値に依存する。図４は、この例においてＲＣＭＰ１からＲＣＭＰ３までによって呼ばれている三つの補償抵抗を有する電流補償回路ＣＭＰの例を示している。該電流補償回路ＣＭＰは更にディジタル信号ＤＳによって制御されるスイッチング手段ＳＣＭＰを有している。ディジタル信号ＤＳに依存して、いくつかの補償抵抗は第一の電源接続点１と第二の電源接続点２との間に接続されもするし接続されもしない。消費電流ＩＣＭＰがディジタル信号ＤＳに依存することは明らかであろう。従ってＤＡコンバータＤＡＣ及び電流補償回路ＣＭＰの適正な相互ディメンショニングを仮定すると、消費電流値ＩＤＣＲとＩＣＭＰとの和は一定となるであろう。
【００１２】
ディメンショニングの手法を明らかにするために、この場合次の仮定がなされるであろう。出力端子ＯＵＴは無負荷であり、図５の変換抵抗の数は４と等しく、図４の補償抵抗の数は４と等しく、電源電圧は３Ｖであり、変換抵抗の値は３０ｋΩであり、補償抵抗の値は１２０ｋΩである。この場合二つの状態が議論されるであろう。
【００１３】
状態１において、二つの変換抵抗が第一の電源接続点１と出力端子ＯＵＴとの間に接続され、二つの変換抵抗が第二の電源接続点２と出力端子ＯＵＴとの間に接続される。出力電圧ＵＯＵＴは１．５Ｖと等しくなる。第一の電源接続点１と第二の電源接続点２との間に接続される全抵抗値は３０ｋΩと等しくなる。消費電流ＩＤＣＲは１００μＡである。それぞれ１２０ｋΩの値を有する三つの補償抵抗も電流補償回路ＣＭＰにおいて第一の電源接続点１と第二の電源接続点２との間に接続される。これにより、消費電流ＩＣＭＰは７５μＡと等しくなる。結果として消費電流値ＩＤＣＲとＩＣＭＰとの和は１７５μＡと等しくなる。
【００１４】
状態２において、一つの変換抵抗が第二の電源接続点２と出力端子ＯＵＴとの間に接続され、三つの変換抵抗が第一の電源接続点１と出力端子ＯＵＴとの間に接続される。出力電圧ＵＯＵＴは０．７５Ｖと等しくなる。第一の電源接続点１と第二の電源接続点２との間に接続される、ＤＡコンバータＤＡＣの全抵抗値は４０ｋΩと等しくなる。これにより、消費電流ＩＤＣＲは７５μＡと等しくなる。同時に、１２０ｋΩの四つの補償抵抗が電流補償回路ＣＭＰにおいて第一の電源接続点１と第二の電源接続点２との間に接続される。結果として消費電流ＩＣＭＰは１００μＡと等しくなる。従って全消費電流は１７５μＡと等しくなる。
【００１５】
消費電流値ＩＤＣＲとＩＣＭＰとの和は一定となり、この例においては１７５μＡと等しくなることが上記から明らかであろう。
【００１６】
図４に示されている抵抗を具備する電流補償回路ＣＭＰではなく、電流補償回路ＣＭＰは代わりに図３に示されている電流源を有するように使用されてもよい。図３は、第一の電源接続点１と第二の電源接続点２との間に接続されている三つの補償電流源ＩＣＭＰ１からＩＣＭＰ３までを例示している。ディジタル信号ＤＳのデータコンテンツに依存して該補償電流源はある一定の基準電流を供給し、又は一つ若しくはいくつかの補償電流源がスイッチオフされる。
【００１７】
図３に示されている電流補償回路ＣＭＰの代わりとして、スイッチオンされたＩＣＭＰ１からＩＣＭＰ３までの補償電流源の数をディジタル信号ＤＳのデータコンテンツに依存させるのではなく、ＩＣＭＰ１からＩＣＭＰ３までの補償電流源のうちの一つのみをスイッチオンさせることはいつでも可能であり、ＩＣＭＰ１からＩＣＭＰ３までの何れか一つのスイッチオンされた補償電流源によって供給される電流値はディジタル信号ＤＳのデータコンテンツに依存する。
【００１８】
図４に示されている電流補償回路ＣＭＰの代わりとして、第一の電源接続点１と第二の電源接続点２との間に接続されているＲＣＭＰ１からＲＣＭＰ３までの補償抵抗の数をディジタル信号ＤＳのデータコンテンツに依存させるのではなく、第一の電源接続点１と第二の電源接続点２との間のＲＣＭＰ１からＲＣＭＰ３までの補償抵抗のうちの一つのみを接続させることはいつでも可能であり、前記ＲＣＭＰ１からＲＣＭＰ３までの何れか一つの補償抵抗の値はディジタル信号ＤＳのデータコンテンツに依存する。
【００１９】
電子回路はディスクリート部品から構成されてもよいし、又は集積回路において実現されてもよい。補償電流源のために、例えばバイポーラトランジスタ又は電界効果トランジスタのようなトランジスタが使用されてもよい。
【図面の簡単な説明】
【図１】
データ処理回路を具備する、知られている電子回路を示している。
【図２】
本発明による電子回路の回路図である。
【図３】
図２の電子回路において使用するための電流補償回路の第一の実施例の回路図である。
【図４】
図２の電子回路において使用するための電流補償回路の第二の実施例の回路図である。
【図５】
図２の電子回路において使用するためのＤＡコンバータの実施例の回路図である。
【国際公開パンフレット】
2004510381.tif 000003
2004510381.tif 000004
2004510381.tif 000005
2004510381.tif 000006
2004510381.tif 000007
2004510381.tif 000008
2004510381.tif 000009
2004510381.tif 000010
2004510381.tif 000011
2004510381.tif 000012
2004510381.tif 000013
2004510381.tif 000014